【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
関連補完コンテンツと共にメディアを提示するためのコンピュータ実施の方法であって、
ユーザに対する提示のための非テキストメディアの識別を受信するステップと、
識別されたメディアに関連する１又は２以上のコンセプトを識別するためのメディアのコンピュータ分析を実行するプロセッサを使用するステップと、
前記識別されたコンセプトの１又は２以上に対応するものとして識別される既存のテキストベースの広告コンテンツの１又は２以上のアイテムであって非テキストメディアの提示に関連した提示に利用可能な既存のテキストベースの広告コンテンツの１又は２以上のアイテムを、前記識別されたメディアとは独立に生成された既存の補完コンテンツのセットから識別するステップと、
前記識別されたコンセプトの１又は２以上に対応するものとして識別される既存の非広告コンテンツの１又は２以上のアイテムであって非テキストメディアの提示に関連した提示に利用可能な既存の非広告コンテンツの１又は２以上のアイテムを、前記識別されたメディアとは独立にかつ前記識別されたメディアを参照しないで生成された既存の非広告コンテンツのセットから識別するステップと、
ウェブブラウザの第１ウィンドウ内でユーザに識別された非テキストメディアを提示するステップと、
識別された非テキストメディアを表示する前記第１ウィンドウ内でテキストベース広告コンテンツの少なくとも一つのアイテムと非広告コンテンツの少なくとも一つのアイテムとを提示するステップと、
前記ユーザに提示されたテキストベースの広告コンテンツの少なくとも一つの特定のアイテムを使用してユーザインタラクションを判定するステップと、
少なくとも部分的にユーザインタラクションに基づいて少なくとも一つの特定のアイテムの１又は２以上のパラメータを修正するステップと
を含む方法。
【請求項２】
テキストベースの広告コンテンツのアイテムを提示するステップは、提示された非テキストメディアの少なくとも一部の上にテキストベースの広告コンテンツのアイテムを提示するステップを含む請求項１記載の方法。
【請求項３】
非広告コンテンツは、識別されたメディアのメディアプロバイダからニュース，開票，画像または第２メディアの少なくとも一つを含むことを特徴とする請求項１記載の方法。
【請求項４】
テキストベースの広告コンテンツの１又は２以上のアイテムを識別するステップは、既存のテキストベースの広告コンテンツのセットをインデックスする特定のデータベースからテキストベースの広告コンテンツのアイテムの１又は２以上を識別するステップを含むことを特徴とする請求項１に記載の方法。
【請求項５】
テキストベースの広告コンテンツを使用したユーザのインタラクションは、識別されたメディアを提示している間に判定される請求項１記載の方法。
【請求項６】
テキストベースの前記広告コンテンツのアイテムのうちの少なくとも一つを提示するステップは、前記ユーザに対する前記識別されたメディアの提示期間中の１又は２以上の特定のポイントでテキストベースの前記広告コンテンツのアイテムのうちの少なくとも一つを提示する請求項１記載の方法。
【請求項７】
前記インタラクションは、補完コンテンツ少なくとも一つの特定のアイテムの上にカーソルを重ねたり、特定のアイテムを選択したり、ハイライトしたり、特定のアイテムにリンクしたり又は特定のアイテムをクローズするステップの少なくとも一つを含む請求項１記載の方法。
【請求項８】
前記インタラクションは、テキストベースの広告コンテンツのアイテムの少なくとも一つの提示を制御するように構成された１又は２以上のボタンの選択を含む請求項１記載の方法。
【請求項９】
前記ボタンの１又は２以上を用いて前記提示を制御するステップは、前記提示の、再生、スキッピング、巻き戻し、早送り、休止、クローズ、最小化のうちの少なくとも一つを許容するステップを含む請求項８記載の方法。
【請求項１０】
少なくとも一つのパラメータを修正するステップも、メディアに関連付けられた他のユーザに提示された補完コンテンツのアイテムの少なくとも一つとの、別のユーザによる、少なくとも部分的なインタラクションに基づく請求項１記載の方法。
【請求項１１】
前記ユーザからテキストベースの前記広告コンテンツの前記提示されるアイテムのうちの少なくとも一つの選択を受信するステップと、前記選択された広告コンテンツに関連した第２のウィンドウを提示するステップとを更に含む請求項１記載の方法。
【請求項１２】
ユーザが、ユーザに提示されたテキストベースの広告コンテンツの特定のアイテムとインタラクトしないことを判定するステップと、
ユーザが前記特定のアイテムとインタラクトしないという判定に少なくとも部分的に基づいて前記特定のアイテムの１又は２以上のパラメータを修正するステップを更に含む請求項１記載の方法。
【請求項１３】
提示されるメディアに関する情報を提示するための命令を格納したマシン読み取り可能な記憶媒体を含む物品であって、前記命令は、データ処理装置に、
ユーザに対する提示のための非テキストメディアの識別を受信するステップと、
識別された非テキストメディアのコンピュータ分析を実施して、前記識別された非テキストメディアに関する１又は２以上のコンセプトを識別するステップと、
前記識別されたコンセプトの１又は２以上に対応するものとして識別される既存の補完コンテンツの１又は２以上のアイテムであって非テキストメディアの提示に関連した提示に利用可能な既存のテキストベースの広告コンテンツの１又は２以上のアイテムを、前記識別された非テキストメディアとは独立に生成された既存の補完コンテンツのセットから識別するステップと、
前記識別されたコンセプトの１又は２以上に対応するものとして識別される既存の非広告コンテンツの１又は２以上のアイテムであって非テキストメディアの提示に関連した提示に利用可能な既存の非広告コンテンツの１又は２以上のアイテムを、前記識別されたメディアを参照しないでかつ前記識別されたメディアとは独立に生成された既存の非広告コンテンツのセットから識別するステップと、
既存のテキストベースの広告コンテンツの前記識別されたアイテムの少なくとも一部を含む補完コンテンツの提示セットと、前記識別されたメディアのオーバーレイとして提示される非広告コンテンツの少なくとも一つのアイテムとを生成するステップと、
前記提示セット内でユーザに提示された補完コンテンツの少なくとも一つの特定のアイテムを使用してユーザのインタラクションを判定するステップと、
少なくとも部分的に前記インタラクションに基づいて少なくとも一つの特定のアイテムの１又は２以上のパラメータを修正するステップとを
含む操作を実行させる物品。
【請求項１４】
前記補完コンテンツは、非広告コンテンツの少なくとも一つのアイテムを含むとともに、前記提示セットは、非広告コンテンツの少なくとも一つのアイテムのサブセットを含む請求項１６記載の物品。
【請求項１５】
前記提示セットは、テキストベースの広告コンテンツの少なくとも一つのアイテムと非広告コンテンツの少なくも一つのアイテムを含む補完コンテンツの複数のアイテムを有する循環セットを含み、前記循環セットの各アイテムは、特定の時間期間に提示される請求項１４記載の物品。
【請求項１６】
前記命令は、更に、前記データ処理装置に、前記識別されたメディアのメディアプロバイダから前記循環セットのためのパラメータを受信するステップを含む操作を実行させる請求項１５記載の物品。
【請求項１７】
前記循環セットを提示するためのパラメータは、
非広告情報コンテンツと共に提示するための第１のインデシアと、広告コンテンツと共に提示するための第２のインデシアを含む請求項１６記載の物品。
【請求項１８】
広告コンテンツを格納するメモリと、
分析モジュールと
提示モジュールとを具備し、
前記分析モジュールは、
ユーザへの提示のためのメディアであって非テキストデータを含むメディアの識別を受信し、
識別されたメディアに関連するコンセプトを識別するためにメディアのコンピュータ分析を実施し、
識別されたコンセプトの１又は２以上に対応するものとして識別される補完コンテンツの１又は２以上のアイテムであってメディアの提示に関連した提示に利用可能な既存のテキストベースの広告コンテンツの少なくとも１又は２以上のアイテムを、前記識別されたメディアとは独立に生成された既存の補完コンテンツのセットから識別し、
識別されたコンセプトの１又は２以上に対応するものとして識別された既存の非広告コンテンツの１又は２以上のアイテムであって非テキストメディア提示に関連した提示に利用可能な既存の非広告コンテンツの１又は２以上のアイテムを、前記識別されたメディアとは独立にかつ前記識別されたメディアを参照することなく生成された既存の非広告コンテンツのセットから識別し、
テキストベースの広告コンテンツの少なくとも一つの特定のアイテムと、ユーザに提示された非広告コンテンツのアイテムの少なくとも一つとを使用してユーザのインタラクションを判定し、
少なくとも部分的に前記インタラクションに基づいて少なくとも一つの特定のアイテムの１又は２以上のアイテムを修正するように構成され、
前記提示モジュールは、ウェブブラウザの第１ウィンドウ内で前記メディアをユーザに提示すると共に、ウェブブラウザの第１ウィンドウ内で補完コンテンツのアイテムのうちの少なくとも一つを提示するように構成されてなるシステム。
【請求項１９】
ユーザに対する提示のためのメディアであって非テキストデータを含むメディアの識別を受信する手段と、
前記メディアのコンピュータ分析を実施して、前記識別されたメディアに関する１又は２以上のコンセプトを識別する手段と、
前記識別されたコンセプトの１又は２以上に対応するものとして識別される既存の補完コンテンツの１又は２以上のアイテムであってメディアの提示に関連した提示に利用可能な既存のテキストベースの広告コンテンツの１又は２以上のアイテムを、前記識別されたメディアとは独立に生成された既存の補完コンテンツのセットから識別する手段と、
識別されたコンセプトの１又は２以上に対応するものとして識別された既存の非広告コンテンツの１又は２以上のアイテムであって非テキストメディア提示に関連した提示に利用可能な既存の非広告コンテンツの１又は２以上のアイテムを、前記識別されたメディアとは独立にかつ前記識別されたメディアを参照することなく生成された既存の非広告コンテンツのセットから識別する手段と、
テキストベースの広告コンテンツのアイテムの１又は２以上の提示セットと、単一のユーザインターフェイス上での前記識別されたメディアの提示のオーバーレイとして提示される非広告コンテンツの少なくとも一つのアイテムの提示セットとを生成する手段と、
ユーザに提示されたテキストベースの広告コンテンツの少なくとも一つの特定のアイテムを使用してユーザのインタラクションを判定する手段と、
少なくとも部分的に前記インタラクションに基づいて少なくとも一つの特定のアイテムの１又は２以上のパラメータを修正する手段と
を備えたシステム。
【請求項２０】
前記識別されたメディアの提示に関連して前記ユーザに前記提示セットの少なくとも一部を提示する手段を更に備えた請求項１９記載のシステム。
【請求項２１】
テキストベースの広告コンテンツの提示されたアイテムの次の提示は、修正された少なくとも一つのパラメータに少なくとも部分的に基づいていることを特徴とする請求項１記載の方法。
【請求項２２】
前記少なくとも１又は２以上の修正されたパラメータは、少なくとも一つの特定のアイテムを使用してユーザインタラクションの履歴レベルを表示するとともに、
少なくとも一つの特定のアイテムの次の提示の頻度は、ユーザインタラクションの履歴レベルに対応するものであることを特徴とする請求項２１記載の方法。
【請求項２３】
前記履歴レベルは、少なくとも一つの特定のアイテムを使用して複数のユーザインタラクションに基づくものであることを特徴とする請求項２２記載の方法。
【請求項２４】
複数のユーザインタラクションの少なくともいくつかは、少なくとも１人の他のユーザによってなされるとともに、
ユーザに対する少なくとも一つの特定のアイテムの次の提示と、少なくとも１人の他のユーザに対する少なくとも一つの特定のアイテムの次の提示とは、前記インタラクションに基づくものであることを特徴とする請求項２３記載の方法。
【請求項２５】
前記修正された少なくとも一つのパラメータは、少なくとも一つのアイテムを１又は２以上の対応する識別されたコンセプトに関連付けるとともに、
識別された１又は２以上のコンセプトに関するメディアに関連する少なくとも一つの特定のアイテムの次の提示の頻度は、インタラクションに基づいて増加又は減少することを特徴とする請求項２１記載の方法。
【請求項２６】
前記修正された少なくとも一つのパラメータは、少なくとも一つの特定のアイテムの次の提示の頻度に関連付けられるとともに、
前記頻度は、前記インタラクションに基づいて増加し又は減少することを特徴とする請求項２１記載の方法。
【請求項２７】
前記修正された少なくとも一つのパラメータは、ユーザを含むターゲット視聴者に関連付けられるとともに、
前記ターゲット視聴者のメンバに対して少なくとも一つの特定のアイテムの次の提示は、前記インタラクションに基づいて増加し又は減少することを特徴とする請求項２１記載の方法。
【請求項２８】
前記インタラクションを判定するステップは、少なくとも一つの特定のアイテムを提示するステップと、少なくとも一つの特定のアイテムを使ってユーザのインタラクションとの間のある時間期間を判定することを特徴とする請求項１記載の方法。